(57)【要約】【課題】上ルーパ軸のスライドにより上ルーパ支持台の上面に溜まった油を上ルーパ支持台の前面に垂下させないことで生地や糸の汚損を防ぐようしたミシンの上ルーパ支持台油逃がし装置を提供する。【解決手段】ミシンフレームに固定され、布送り方向に沿って穿設された円孔と該円孔の上下にそれぞれ開口部とを設けた上ルーパ支持台と、上ルーパ支持台の円孔に回動自在に支持され、円周面に貫通された支持孔を有する上ルーパ軸案内と、上ルーパ軸案内の支持孔に挿通されると共に上ルーパ支持台の開口部に挿通された上ルーパ軸と、上ルーパ軸の表面に潤滑油を付与する手段と、上ルーパ支持台に設けられミシンの給油室に通じる逃がし孔を有する油逃がし部と、上ルーパ支持台の上方に配置された遮断板とを備えたミシンの上ルーパ支持台油逃がし装置において、遮断板の下端を上ルーパ支持台の油逃がし部の上方に配置すると共に門状に形成させた。【選択図】　　　　図１
2004057335.tif 000002
【特許請求の範囲】
【請求項１】
ミシンフレームに固定され、布送り方向に沿って穿設された円孔と該円孔の上下にそれぞれ開口部とを設けた上ルーパ支持台と、上ルーパ支持台の円孔に回動自在に支持され、円周面に貫通された支持孔を有する上ルーパ軸案内と、上ルーパ軸案内の支持孔に挿通されると共に上ルーパ支持台の開口部に挿通された上ルーパ軸と、上ルーパ軸の表面に潤滑油を付与する手段と、上ルーパ支持台に設けられミシンの給油室に通じる逃がし孔を有する油逃がし部と、上ルーパ支持台の上方に配置された遮断板とを備えたミシンの上ルーパ支持台油逃がし装置において、遮断板の下端を上ルーパ支持台の油逃がし部の上方に配置すると共に門状に形成させたことを特徴とするミシンの上ルーパ支持台油逃がし装置。
【請求項２】
ミシンフレームは円弧動する上メス腕を備え、遮断板は上メス腕に隣接して凹面を付設した請求項１に記載のミシンの上ルーパ支持台油逃がし装置。
【請求項３】
遮断板の凹面に鉛直壁を付設した請求項２に記載のミシンの上ルーパ支持台油逃がし装置。
【発明の詳細な説明】
【０００１】
【産業上の利用分野】
本発明は、ミシンの上ルーパ軸に付与された余剰の潤滑油を上ルーパ支持台の上面に溜まらないようにしたミシンの上ルーパ支持台油逃がし装置に関するものである。
【０００２】
【従来の技術】
従来、ミシンの上ルーパ支持台油逃がし装置としては、実開平７−２８３号公報に開示されているように、上ルーパ支持台の上面に設けられた油逃がし部（凹部）で行うようにしたものが知られている。上ルーパ支持台３Ａは、図３に示されるように、ミシンフレーム１の前面にネジ２で固定されている。この上ルーパ支持台３Ａは布送り方向Ｆに沿って穿設された円孔４を有する。円孔４の上下には、それぞれ開口部１２，１３が設けられている。円孔４は円柱状の上ルーパ軸案内５を回動自在に支持する。上ルーパ軸案内５の円周面には支持孔６が貫通されている。上ルーパ軸７は上ルーパ軸案内５の支持孔６と円孔４の開口部１２，１３とに挿通される。
【０００３】
また、上ルーパ軸７はピン９を介してレバー１０に連結されている。ピン９は中空の構造となっており、油芯紐１９はその中空部分に挿入されている。レバー１０は、図示を省略したミシン主軸に連動して揺動軸１１を中心に揺動する。この揺動により、上ルーパ軸７は支持孔６内をスライドして昇降すると共に上ルーパ軸案内５を円孔４内で回動させ、上ルーパ８が略放物線状の軌跡を描くように運動する。ピン９の油芯紐１９に浸透した潤滑油は、レバー１０の揺動により飛散して噴霧状となり、上下にスライドする上ルーパ軸７の下部表面に付着する。
【０００４】
上ルーパ支持台３Ａには油逃がし部２４（凹部）が設けられている。この油逃がし部２４は、上ルーパ軸７が挿通される開口部１２の近傍に配置され、ミシンの給油室に通じる逃がし孔２５（図４参照）に接続されている。逃がし孔２５の上部にはフィルタ２６が設置されている。また、上ルーパ支持台３Ａの上方には遮断板２７が配置されている。この遮断板２７の下端はルーパ支持台３Ａの上面２２上に接触されている。上ルーパ軸案内５には油分を浸透させたフェルト１４が嵌め込まれている。フェルト１４により上ルーパ軸７の表面に潤滑油が塗布される。つまり上ルーパ軸の表面には潤滑油が付与されることとなる。尚、この種のミシンフレームは一般的にミシン駆動に連動して円弧動する上メス腕を備えており、上メス腕は上ルーパ軸７の斜め上方に配置されている。
【０００５】
上ルーパの昇降往復運動に伴って上ルーパ軸の表面から飛散して上ルーパ支持台上に落下する余剰の潤滑油の飛沫については、その一部が上ルーパ支持台の油逃がし孔を経て給油室等に戻される。また、上ルーパ支持台上に残った飛沫は蓄積されて大きな油玉となり、この油玉も重力により油逃がし孔を経て給油室等に戻される。さらに、遮断板は上ルーパ支持台の上面への潤滑油の広がりを防止している。
【０００６】
【発明が解決しようとする課題】
ところが、従来のミシンの上ルーパ支持台油逃がし装置においては、上ルーパの昇降往復運動が高速化すると油玉の広がりが遮断板で遮られ、油玉の一部が上ルーパ支持台の上面より前に垂下していた。この垂下した油は、上ルーパ軸に連結された揺動レバーにより飛散したり、下方で蓄積されて機枠外に漏れたりしていた。これにより、生地や糸を汚損させることがあった。また、上ルーパ軸から飛散した油の一部が上メス腕にも付着していた。この付着した油は上メス腕の円弧動により飛散し、生地積載面の生地を汚損させることがあった。
従って、本発明の課題は、上ルーパ軸のスライドにより上ルーパ支持台の上面に溜まった油を上ルーパ支持台の前面に垂下させないことで生地や糸の汚損を防ぐようしたミシンの上ルーパ支持台油逃がし装置を提供することを目的としている。
【０００７】
【課題を解決するための手段】
本発明は、上記目的を達成するために、ミシンフレームに固定され、布送り方向に沿って穿設された円孔と該円孔の上下にそれぞれ開口部とを設けた上ルーパ支持台と、上ルーパ支持台の円孔に回動自在に支持され、円周面に貫通された支持孔を有する上ルーパ軸案内と、上ルーパ軸案内の支持孔に挿通されると共に上ルーパ支持台の開口部に挿通された上ルーパ軸と、上ルーパ軸の表面に潤滑油を付与する手段と、上ルーパ支持台に設けられミシンの給油室に通じる逃がし孔を有する油逃がし部と、上ルーパ支持台の上方に配置された遮断板とを備えたミシンの上ルーパ支持台油逃がし装置において、遮断板の下端を上ルーパ支持台の油逃がし部の上方に配置すると共に門状に形成させたことを特徴とする。
【０００８】
なお、遮断板について、ミシンフレームに備えられた上メス腕に隣接して凹面を付設するのが望ましく、また、遮断板の凹面に鉛直壁を付設しておくとよい。
【０００９】
【作用】
本発明によれば、遮断板の下端を上ルーパ支持台の油逃がし部の上方に配置しているので、上ルーパ軸の昇降往復運動によって飛散した油が遮断板を伝うとその油は上ルーパ支持台の油逃がし部に流れ込む。なお、遮断板の下端を門状に形成しているので、ミシンが高速で駆動する等して油供給が過剰になっても上ルーパ支持台上に留まる油が遮断板で遮られず、また遮断板の下端より落下しようとする潤滑油が、上ルーパ支持台の油逃がし部に溜まる油と接触し難くなる。その結果、油逃がし部に溜まる油が弾き飛ばされずに上ルーパ支持台の上面より前に垂下しなくなる。油逃がし部に到達した油は逃がし孔を通じてミシンの給油室に戻される。
【００１０】
なお、遮断板についてミシンフレームに備えられた上メス腕に隣接して凹面を付設しているので、上ルーパ軸から飛散してくる油の飛沫が上メス腕に付着しない。さらに、遮断板の凹面に鉛直壁を設けておくと、鉛直壁が防護カバーとなって容易に上メス腕で人体等に危害を与えることができなくなる。
【００１１】
【発明の実施の形態】
以下、本発明に係る実施の形態を図面を用いて説明するが、図３および図４で述べた従来装置と共通する部分については同じ符号を付して説明を省略する。遮断板の下端２７ａは、上ルーパ支持台３Ａの油逃がし部２４上方に配置され、その形状は門状に形成されている。また、遮断板には、ミシンフレーム１に備えられた上メス腕３１に隣接して凹面２７ｂが付設されている。遮断板の凹面２７ｂは上メス腕３１と生地積載面３２との間に配置されている。遮断板の凹面２７ｂには鉛直壁２７ｃが付設されている。この鉛直壁２７ｃは、円弧動する上メス腕３１と生地積載面３２とを遮断するものである。上メス腕３１は、公知の上メス機構に連結され、図示しないミシン主軸に連動して円弧動する。
【００１２】
この実施の形態においてミシンを駆動すると、ピン９の揺動により飛散した潤滑油の飛沫は、上ルーパ軸７の下部表面に付着し、その上ルーパ軸のスライド運動により支持孔６の摺動面に給油される。また、その飛沫した油は上ルーパ軸案内５の円周面を経て円孔４の摺動面にも給油される。そして、上ルーパ軸案内５よりも上方にもたらされる余剰の油は、上ルーパ軸７のスライドによって飛散しても、遮断板により遮られる。遮断板によって遮られた油の飛沫が結合して大きな油玉になると、その油玉は、重力により遮断板の下端２７ａを経て上ルーパ支持台３Ａの油逃がし部２４に落下する。油逃がし部２４に落下した油は、逃がし孔２５を通じてミシンの給油室（図示せず）に戻される。
【００１３】
油逃がし部２４に落下する油が多量になっても、遮断板の下端２７ａが門状に形成されているので、上ルーパ支持台３Ａ上に留まる油が遮断板２７で遮られない。また、遮断板の下端より落下しようとする潤滑油が、上ルーパ支持台の油逃がし部に溜まる油と接触し難くなる。その結果、油逃がし部に溜まる油が、弾き飛ばされずに上ルーパ支持台３Ａの上面２２より前に垂下しなくなる。また、上ルーパ軸７から飛散した油の飛沫は遮断板の凹面２７ｂにより上メス腕３１に付着しない。本実施の形態では詳述していないが、遮断板の凹面に付着した油が遮断板の下端に流れ込むように、該凹面を傾斜させておくとよい。また、上ルーパ支持台の円孔は布送り方向に沿って穿設されていればよく、円孔の穿設箇所は上ルーパ支持台の前面あるいは背面のどちらからでもよい。
【００１４】
【発明の効果】
以上のように、本発明によれば、上ルーパ軸の昇降往復運動によって飛散した油が、上ルーパ支持台の上面に落下して溜まったり、その溜まった油が上ルーパ支持台の上面より前に垂下することを防ぎ、生地や糸の汚損を防止できるという効果がある。なお、遮断板の下端を門状に形成しているので、ミシンが高速で駆動する等して油供給が過剰になっても上ルーパ支持台の油逃がし部に溜まる油が遮断板で遮られずに上ルーパ支持台の上面より前に垂下し難くなる。
【００１５】
なお、上ルーパ軸から飛散してくる油が、遮断板に付設された凹面により上メス腕に付着しないので、上メス腕の円弧動によって油が飛散するのを防ぐことができる。更に、遮断板の凹面に鉛直壁を設けておくと、鉛直壁が防護カバーとなって容易に上メス腕で人体等に危害を与えることができなくなり、ミシン駆動時の安全性を向上させることができる。
【図面の簡単な説明】
【図１】本発明に係るミシンの上ルーパ支持台油逃がし装置の要部斜視図である。
【図２】同上装置における上ルーパ支持台の一部を示す断面図である。
【図３】従来のミシンの上ルーパ支持台油逃がし装置の基本構成を示す斜視図である。
【図４】従来装置における上ルーパ支持台の一部を示す断面図である。
【符号の説明】
１　　　　　　ミシンフレーム
３Ａ　　　　　上ルーパ支持台
４　　　　　　円孔
５　　　　　　上ルーパ軸案内
６　　　　　　支持孔
７　　　　　　上ルーパ軸
１２，１３　　開口部
１９　　　　　油芯紐
２４　　　　　油逃がし部
２５　　　　　逃がし孔
２７　　　　　遮断板
２７ｂ　　　　凹面
２７ｃ　　　　鉛直壁
Ｆ　　　　　　布送り方向
【図１】
2004057335.tif 000003
【図２】
2004057335.tif 000004
【図３】
2004057335.tif 000005
【図４】
2004057335.tif 000006